(57)【要約】【課題】従来にない斬新な形態で且つ美観や面白さを生じさせ、しかも種々の用途の具足として使用することができる具足を提供する。【解決手段】開口部２を有する中空の器体１と、この器体を自由な角度で載置できる角度調整手段（３，５）とを備えていることを特徴とする【選択図】      図１
2009261584.tif 000002
【特許請求の範囲】
【請求項１】
開口部（２）を有する中空の器体（１）と、この器体を自由な角度で載置できる角度調整手段（３，５）と、を備えていることを特徴とする具足。
【請求項２】
前記角度調整手段として、台座の上部に凹部（４）を形成していることを特徴とする請求項１記載の具足。
【請求項３】
前記台座の凹部（４）には、器体の載置を安定させる固定具（５）が備えられていることを特徴とする請求項１または２記載の具足。
【請求項４】
前記器体（１）が球体または略球体であることを特徴とする請求項１、２または３記載の具足。
【請求項５】
前記器体（１）内には蝋燭の立設を保持する蝋燭支持具（６）を備えており、蝋燭立てとして利用できることを特徴とする１、２、３または４記載の具足。
【請求項６】
前記蝋燭支持具（６）は、第一支持台（７）の上面に支持棒（８）の一端を取り付け、支持棒の他端には受け皿（９）が取り付けられ、受け皿の上面には芯部（１０）を備えていることを特徴とする請求項５記載の具足。
【請求項７】
前記器体（１）内には線香の立設を保持する支持手段を備え、線香立てとして利用できることを特徴とする１、２、３または４記載の具足。
【請求項８】
前記支持手段として、孔部（１１）を有する第二支持台（１２）を備えていることを特徴とする請求項７記載の具足。
【発明の詳細な説明】
【技術分野】
【０００１】
本発明は、仏壇または祭壇等の慰霊空間に備えられる具足に関する。
【背景技術】
【０００２】
旧来より多くの日本人は仏教を信仰し、仏壇等の慰霊空間に位牌等を納めると共に、御飾りやお供え物を配置し、故人を偲び、ご先祖様を敬ってきた。慰霊空間に供えられる御飾として代表的なものは具足であり、香炉、花立ておよび蝋燭立てとからなる三具足または香炉、一対の花立ておよび一対の蝋燭立てとからなる五具足が一般的に用いられている。さらに、これらの具足以外にも線香立て等の様々な用途の具足が存在し、用途に応じ使い分けられている。従来の具足は、荘厳感や厳粛感を醸し出すものであり、ほぼ一様の形態のものが伝統的に用いられてきた。しかし、近年における人々の生活態様や趣向の変化にともなって、伝統的な形態にとらわれない具足を求める声が多くなってきていた。
【発明の開示】
【発明が解決しようとする課題】
【０００３】
そこで本発明は上記課題を解決するためになされたものであり、従来にない斬新な形態で且つ美観や面白さを生じさせ、しかも種々の用途の具足として使用することができる具足を提供することを目的とする。
【課題を解決するための手段】
【０００４】
上記目的を達成するために、以下の発明を行った。本発明のうち請求項１記載の発明は、開口部を有する中空の器体と、この器体を自由な角度で載置できる角度調整手段とを備えていることを特徴とする具足である。
【０００５】
これによると、花立てや香炉等として慰霊空間に供えて使用することができ、しかも従来の具足と同様に開口部を真上に向けた形態で載置できることは勿論、角度調整手段によって器体を自由な角度に傾けて載置することもできる。
【０００６】
角度調整手段は環状の固定具等であってもかまわないが、請求項２記載の発明のように台座の上面に凹部を形成すると、器体の載置を安定させることができる。凹部の形状については特に限定されるものではないが、例えば、円柱、直方体または半球体等が挙げられる。
【０００７】
また、請求項３記載の発明のように、前記台座の凹部に器体を固定するための固定具を備えると、器体の載置がより一層安定する。ここで、固定具を構成する素材としては、静止摩擦係数が比較的に大きい素材を用いることが望ましく、例えばゴム等が考えられる。
【０００８】
前記器体の形状に関しては特に限定されるものではないが、請求項４記載の発明のように球体または略球体とすると、器体の載置において微妙な角度の設定が可能となる。しかも、外観上の見栄えもよくなり、具足の意匠性も高まる。
【０００９】
なお、従来の個々の具足においては、それぞれ決められた用途で使用されるだけであるが、本発明の具足は、様々な用途の具足として利用することが可能である。例えば、請求項５記載の発明のように、器体内に蝋燭の立設を保持する支持具を備えることにより、蝋燭立てとして利用することができる。
【００１０】
蝋燭支持具に関しては請求項６記載のように、支持台の上面に支持棒の一端を取り付け、支持棒の他端には受け皿を取り付け、受け皿の上面に芯部を設けると、蝋燭の立設を保持することができ、しかも蝋を受け皿で受け止められる。
【００１１】
また、請求項７載の発明のように、線香の立設を保持する支持手段を器体内に備えることにより、線香立てとしも利用することができる。
【００１２】
線香の立設を保持する手段としては、器体内に灰を敷き詰め、灰に線香を差して使用することも可能であるが、請求項８記載の発明のように、孔部を有する支持台を器体内に備え、孔部に線香を差すことによっても線香立てとして使用することができる。
【００１３】
以上の発明によって、花立て、香炉および蝋燭立てからなる三具足または五具足を構成することができ、さらに必要に応じて線香立てを加えることも可能である。また本発明は、仏飯器や茶湯器として利用することも可能である。
【発明の効果】
【００１４】
本発明のうち請求項１記載の発明は、角度調整手段により器体を自由な角度に傾けて載置できるため、従来には無い斬新な形態で且つ美観や面白さを感じさせる具足を提供できる。また、角度調整手段として、請求項２記載の発明のように台座に凹部を形成することや、請求項３記載の発明のように前記凹部に固定具を備えることで、器体を安定的に載置することができる。
【００１５】
しかも、器体の形状を請求項４記載の発明のように球体または略球体とすると、微妙な角度の設定が可能となる。
【００１６】
なお、本発明では様々な用途の具足として利用することができる。例えば請求項５および６記載の発明のように蝋燭立てとして、あるいは請求項７および８記載の発明のように線香立てとしても用いることができる。なお、これら以外にも、仏飯器や茶湯器として利用することも可能である。
【発明を実施するための最良の形態】
【００１７】
以下、本発明の実施形態について添付図面を参照して説明する。図１は、本発明の具足の代表的な実施形態を示す斜視図である。本発明の具足は、花立て２１、香炉２２および蝋燭立て２３とからなる、いわゆる三具足Ｓとして構成されている。
【００１８】
各具足は、大きくは器体１と台座３によって構成されている。まず、各具足の器体１は真鍮等の金属素材により構成され、中空の球体形状で、かつ円形の開口部２を有するように形成してある。器体１の素材は真鍮以外のものであっても構わないが、具足の性質上、耐水性と耐火性を兼ね備えた素材を用いるのが望ましい。また、各具足の素材は同一である必要はなく、それぞれ異なった素材を用いてよい。なお、図示していないものの、器体１の外面もしくは内面において、面の全体または一部に模様や色彩を施すことができる。
【００１９】
次に台座３について図２および図３に基づいて説明する。図２は台座３の斜視図であり、図３は図２のＡ−Ａラインの断面図を表す。台座３は木材を直方体に加工したものであり、その上部には円柱状の凹部４が形成してある。また凹部４には、外周が凹部４の直径とほぼ同一である円環状の固定具５が着脱可能に嵌め込まれている。ここで台座３は木材以外にも、合成樹脂または金属等の素材により構成してもよく、固定具５はゴムにより構成されているが、静止摩擦係数が比較的に大きい素材であれば他の素材であっても構わない。また、台座３の底面には滑り止めの処理を施してもよい。なお、台座３の他の例としては図４に示すように、器体の略半球形状の凹部４を備える台座３を用いることによっても器体１を安定的に載置できる。
【００２０】
以上に示した構成によって、花立て２１または香炉２２として使用できる。またこれらの構成に加えて、図５に示すような蝋燭の立設を保持する蝋燭支持具６を器体１内に備えると、蝋燭立て２３として用いることができる。ここで蝋燭支持具６は、第一支持台７上に支持棒８を立設させ、支持棒８の上端に受け皿９を取り付け、受け皿９の上面中心部に円錐状の芯部１０を備えた形態のものであり、この芯部１０に蝋燭３１を突き刺して使用する。支持具の素材は、金属等の耐火性のものが望ましく、ここでは真鍮を用いて形成している。また、蝋燭支持具６は、これを構成する各部材を溶接や接着により接合して形成してもよいし、一体形成とし製造してもよい。
【００２１】
さらに、図６に示すように器体１内に線香の立設を保持する第二支持台１２を備えることによって、線香立て２４として使用することもできる。第二支持台１２は真鍮製の略楕円体であって、その中心部に孔部１１を有するものであり、孔部１１に線香３２を挿入し、利用するものである。なお、第二支持台１２の素材は真鍮以外のものでもかまわないが、金属等の耐火性を有する素材で形成することが望ましい。なお、第二支持台１２を使用せず、器体内に灰を敷き詰めて、灰に線香を差すことによっても、線香立て２４として使用できる。
【００２２】
次に本発明の具足うち三具足Ｓの使用方法について以下に説明する。それぞれの器体１は台座３の凹部４上に載置される。この際、器体１は凹部４に嵌めこまれた固定具５と接触し、載置が安定する。これらを仏壇や祭壇等の慰霊空間に供え、花立て２１には水を入れ、花を供えておき、香炉２２にはお香を敷き詰めお香を焚き、蝋燭立に２３は蝋燭支持具６の芯部１０に蝋燭３１を差し、蝋燭３１に火を灯して使用する。それぞれの具足は図１に示す様に開口部２を真上に向けて器体１を載置するといった従来の具足と同様の使い方ができると共に、図２に示すように、本発明の特徴である器体１を自由な角度に傾けて載置することができる。器体１が球体であるため微妙な角度の設定ができ、この角度の設定は使用者の趣向や好みに合わせて好適に決定される。ただし、蝋燭や線香は傾けずに使用する。
【００２３】
なお図８に示すように、台座３を使用せず円環状の固定具５と器体１との構成により使用することも可能であり、この形態でも器体１を自由な角度に傾けて載置することができる。
【図面の簡単な説明】
【００２４】
【図１】本発明の代表的な実施形態を示す斜視図である。
【図２】台座を示す斜視図である。
【図３】図２における台座のＡ−Ａラインの断面図である。
【図４】台座の他の例を示す断面図である。
【図５】（ａ）蝋燭支持具、（ｂ）蝋燭立てを示す斜視図である。
【図６】（ａ）線香支持台、（ｂ）線香立てを示す斜視図である。
【図７】本発明の実施形態の使用例の１例を示す斜視図である。
【図８】本発明の実施形態の使用例の１例を示す斜視図である。
【符号の説明】
【００２５】
Ｓ  具足（三具足）
１  器体
２  開口部
３  台座（角度調整手段）
４  凹部
５  固定具（角度調整手段）
６  蝋燭支持具
７  第一支持台
８  支持棒
９  受け皿
１０  芯部
１１  孔部
１２  第二支持台（支持手段）
２１  花立て（器体）
２２  香炉（器体）
２３  蝋燭立て（器体）
２４  線香立て（器体）
３１  蝋燭
３２  線香
【図１】
2009261584.tif 000003
【図２】
2009261584.tif 000004
【図３】
2009261584.tif 000005
【図４】
2009261584.tif 000006
【図５】
2009261584.tif 000007
【図６】
2009261584.tif 000008
【図７】
2009261584.tif 000009
【図８】
2009261584.tif 000010